(57)【要約】【課題】エレベータの群管理制御における省電力運転モードによりいずれかの号機が休止状態となった場合でも乗り場呼びを登録した階床で待機している乗客に不快感を与えないようにする。【解決手段】省電力運転判断部７は、過去１０分間の乗り場呼びに対する平均未応答時間が５秒以下であれば、需要が少ないとして、省電力運転モード指令を出力する。休止号機判断部８は、省電力運転モード指令を入力すると、各号機のうち戸閉待機状態にある号機を休止号機に設定する。乗り場呼び割当制御部４は、休止号機判断部８が設定した休止号機が新たな乗り場呼びに対する割当号機としてなるべく選択されないような割当制御を行なう。乗り場インジケータ制御部９は、省電力運転モード指令を入力すると、各階床の乗り場インジケータ１０の階床表示を消灯させる。【選択図】      図１
2009091099.tif 000002
【特許請求の範囲】
【請求項１】
複数の乗りかごと、
前記複数の乗りかごのそれぞれに対応して各階床に設けられる乗り場インジケータと、
各階床の乗り場の乗り場呼び釦による操作にしたがって乗り場呼びを登録する乗り場呼び登録手段と、
前記乗り場呼び登録手段により登録された乗り場呼びに前記複数の乗りかごのうちいずれかを割り当てる割当制御手段と、
前記乗りかごの運転需要が予め定められた条件を満たす場合に、運転モードを通常運転モードから戸閉待機中の乗りかごへの前記割当制御手段による割り当てを制限する省電力運転モードに切り替える切替手段と、
前記切替手段により前記運転モードが省電力運転モードに切り替わった場合に、前記複数の乗りかごのうち少なくとも前記戸閉待機中の乗りかごに対応する前記乗り場インジケータの表示内容を前記運転モードが通常運転モードから異なるモードに切り替わった事を視認できる内容に変更する表示制御手段と
を備えたことを特徴とするエレベータ。
【請求項２】
前記表示制御手段は、
前記切替手段により前記運転モードが省電力運転モードに切り替わった場合に、前記複数の乗りかごのうち少なくとも前記戸閉待機中の乗りかごに対応する乗り場インジケータを消灯させる
ことを特徴とする請求項１に記載のエレベータ。
【請求項３】
前記表示制御手段は、
前記切替手段により前記運転モードが省電力運転モードに切り替わった場合に、前記複数の乗りかごのうち戸閉待機中の乗りかごのみに対応する乗り場インジケータの表示を消灯させる
ことを特徴とする請求項１に記載のエレベータ。
【請求項４】
前記乗り場インジケータは、対応する乗りかごが位置する階床を表示し、
前記表示制御手段は、
前記切替手段により前記運転モードが省電力運転モードに切り替わった場合に、前記複数の乗りかごのうち少なくとも前記戸閉待機中の乗りかごに対応する乗り場インジケータの階床表示を消して前記運転モードが省電力運転モードである旨を表示させる
ことを特徴とする請求項１に記載のエレベータ。
【請求項５】
前記乗り場インジケータは、対応する乗りかごが位置する階床を表示し、
前記表示制御手段は、
前記切替手段により前記運転モードが省電力運転モードに切り替わった場合に、前記複数の乗りかごのうち前記戸閉待機中の乗りかごのみに対応する乗り場インジケータの階床表示を消して前記運転モードが省電力運転モードである旨を表示させる
ことを特徴とする請求項１に記載のエレベータ。
【請求項６】
前記切替手段は、運転モードを前記省電力運転モードに切り替えた後、前記乗りかごの運転需要が前記定められた条件を満たさなくなった場合に、運転モードを省電力運転モードから通常運転モードに切り替え、
前記表示制御手段は、
前記切替手段が運転モードを通常運転モードに切り替えた場合で、表示内容を変更した乗り場インジケータが対応する乗りかごのかご位置と登録済みの乗り場呼びの階床との位置が予め定められた範囲内にある場合に、当該乗り場インジケータの表示内容を通常運転モード時の表示内容に戻すタイミングを遅延させる
ことを特徴とする請求項１乃至３のいずれかに記載のエレベータ。
【発明の詳細な説明】
【技術分野】
【０００１】
本発明は、群管理制御を行ない、需要に応じていずれかの乗りかごへの割り当てを制限する省電力運転モードでの運転を行なうエレベータに関する。
【背景技術】
【０００２】
従来のエレベータでは、学習機能により乗り場呼びの需要を判別し、需要が少ないと判別した場合に、運転モードを省電力運転モードに切り替えるものがある。省電力運転モードでは、乗りかごが戸閉待機している号機を休止号機として当該号機のインバータの電源を遮断する事により省電力効果を得る。
【０００３】
また、群管理制御においては、運転モードを省電力運転モードに切り替えた場合には、新たに発生した乗り場呼びに対して、前述したようにインバータの電源を遮断した号機の乗りかごへの割当を制限して、休止の時間をなるべく長くする事により省電力効果を得る。
【０００４】
また、例えば特許文献１に開示されるように、乗り場インジケータの表示を閑散時に消灯させる方式がある。この方式においては、乗り場呼びが一定時間以上発生しない場合に、乗り場呼びが再度発生するまで乗り場インジケータの表示を消しておくことにより省電力効果を得る。
【特許文献１】特開平５−９３８５１号公報
【発明の開示】
【発明が解決しようとする課題】
【０００５】
しかしながら、省電力運転モードによる運転を行った場合、乗り場にインジケータにかご位置を表示させている場合においては、乗り場呼び釦が操作されても、当該乗り場呼び釦が操作された階床から近い階床に待機している乗りかごは省電力運転モードによる休止状態のため応答しない。よって、乗り場呼び釦が操作された階床で待機している乗客に対して「近くで待機している乗りかごが応答しない。」との不快感を与えてしまう問題が発生する。
【０００６】
そこで、本発明の目的は、群管理制御における省電力運転モードにより乗りかごが休止状態となった場合でも乗り場呼びを登録した階床で待機している乗客に不快感を与えないようにすることが可能になるエレベータを提供することにある。
【課題を解決するための手段】
【０００７】
すなわち、本発明に係わるエレベータは、各階床の乗り場の乗り場呼び釦による操作にしたがって登録した乗り場呼びに複数の乗りかごのうちいずれかを割り当て、乗りかごの運転需要が予め定められた条件を満たした場合に、運転モードを通常運転モードから戸閉待機中の乗りかごへの割り当てを制限する省電力運転モードに切り替え、この省電力運転モードにおいて、複数の乗りかごのうち少なくとも戸閉待機中の乗りかごに対応する乗り場インジケータの表示内容を運転モードが通常運転モードから異なるモードに切り替わった事を視認できる内容に変更することを特徴とする。
【発明の効果】
【０００８】
本発明によれば、エレベータの群管理制御における省電力運転モードにより乗りかごが休止状態となった場合でも乗り場呼びを登録した階床で待機している乗客に不快感を与えないようにすることができる。
【発明を実施するための最良の形態】
【０００９】
以下図面により本発明の実施形態について説明する。  
（第１の実施形態）
まず、本発明の第１の実施形態について説明する。  
図１は、本発明の第１の実施形態にしたがったエレベータの構成例を示すブロック図である。  
図１に示すように、本発明の第１の実施形態にしたがったエレベータは、各階床の乗り場呼び釦１ａ，１ｂ，１ｃ，…，１ｎ、群管理制御装置２、単体制御装置５ａ，５ｂ，５ｃを備える。  
群管理制御装置２は、乗りかご６ａが対応するＡ号機、乗りかご６ｂが対応するＢ号機および乗りかご６ｃが対応するＣ号機の群管理制御を行なう。
【００１０】
単体制御装置５ａはＡ号機の乗りかご６ａ、単体制御装置５ｂはＢ号機の乗りかご６ｂ、単体制御装置５ｃはＣ号機の乗りかご６ｃの昇降をそれぞれ個別に制御する。以後、必要に応じて単体制御装置５ａ，５ｂ，５ｃの一部または全てを単体制御装置５と称し、乗りかご６ａ，６ｂ，６ｃの一部または全てを乗りかご６と称する。
【００１１】
また、群管理制御装置２は、乗り場呼び登録手段である乗り場呼び入力部３、割当制御手段である乗り場呼び割当制御部４、運転モードの切替手段である省電力運転判断部７、休止号機判断部８、乗り場インジケータ制御部９を有する。
【００１２】
単体制御装置５ａ，５ｂ，５ｃは、制御対象の乗りかごが戸閉待機の状態にある場合には、この状態を示す戸閉待機信号を休止号機判断部８に出力する。  
乗り場呼び入力部３は、乗り場呼び釦１ａ，１ｂ，１ｃ，…，１ｎが操作された場合の乗り場呼び信号を入力して、乗り場呼び割当制御部４および省電力運転判断部７に出力する。
【００１３】
乗り場呼び割当制御部４は、単体制御装置５ａ，５ｂ，５ｃから各号機のかご位置や既登録かご呼びの情報を取得して、これらの情報などをもとに予測到着時間による評価演算を行ない、単体制御装置５ａ，５ｂ，５ｃのうち、最も評価値の高い号機に対応する装置に乗り場呼び割当信号を出力して乗りかご６を当該乗り場呼びに応答させる。  
乗り場呼び割当制御部４は、乗り場呼び割当信号を出力するたびに、信号出力先の号機を示す信号を省電力運転判断部７に出力している。
【００１４】
乗り場呼び入力部３からの乗り場呼び信号には乗り場呼び元の階床の情報が含まれる。省電力運転判断部７は、乗り場呼び割当制御部４から割当先の号機の情報を、単体制御装置５ａ，５ｂ，５ｃから、かご呼び情報、速度、走行位置などの情報をそれぞれ取得し、これらの情報を元に乗りかご６が乗り場呼びの登録から応答までの予測時間を累計し、この予測時間を乗り場呼びの個数で除算した平均値、つまり乗り場呼びの平均未応答時間を示す需要情報を生成する。
【００１５】
省電力運転判断部７は、この需要情報が予め定められた条件を満たした場合に、運転モードを通常運転モードから省電力運転モードに切り替えるための省電力運転モード指令を休止号機判断部８および乗り場インジケータ制御部９に出力する。
【００１６】
休止号機判断部８は、省電力運転モード指令を入力した場合に、乗りかご６ａ，６ｂ，６ｃが対応する各号機の単体制御装置５ａ，５ｂ，５ｃからの戸閉待機信号の入力の有無をもとに、各号機のうち戸閉待機している単一又は複数の号機を検出し、この戸閉待機号機を示す情報を乗り場呼び割当制御部４に出力する。
【００１７】
乗り場呼び割当制御部４は、戸閉待機号機の情報を受けると、当該号機を休止号機に設定し、当該休止号機を新たに発生した乗り場呼びに対する割当号機としてなるべく選択しないように割当制御を行なう。
【００１８】
各階床には、単体制御装置５ａからのかご位置信号にしたがって乗りかご６ａのかご位置を表示する乗り場インジケータ１０ａ、単体制御装置５ｂからのかご位置信号にしたがって乗りかご６ｂのかご位置を表示する乗り場インジケータ１０ｂ、および、単体制御装置５ｃからのかご位置信号にしたがって乗りかご６ｃのかご位置を表示する乗り場インジケータ１０ｃが設けられる。以後、必要に応じて乗り場インジケータ１０ａ，１０ｂ，１０ｃの一部または全てを乗り場インジケータ１０と称する。
【００１９】
乗り場インジケータ制御部９は乗り場インジケータ１０ａ，１０ｂ，１０ｃの表示制御手段である。具体的には、乗り場インジケータ制御部９は、省電力運転判断部７からの省電力運転モード指令を入力すると、各階床の乗り場インジケータ１０ａ，１０ｂ，１０ｃの階床表示を消灯させる。
【００２０】
また、省電力運転判断部７は、省電力運転モード指令の出力後、需要情報が当該省電力運転モード指令の出力のための条件を満たさなくなった場合には、運転モードを通常運転モードに切り替えるための通常運転モード指令を休止号機判断部８および乗り場インジケータ制御部９に出力する。
【００２１】
休止号機判断部８は、通常運転モード指令を入力した場合に、この指令を乗り場呼び割当制御部４に出力する。乗り場呼び割当制御部４は、休止号機判断部８からの指令を受けると、新たな乗り場呼びに対する通常の割当制御を行なう。
【００２２】
また、乗り場インジケータ制御部９は、省電力運転判断部７からの通常運転モード指令を入力すると、乗り場インジケータ１０ａ，１０ｂ，１０ｃの階床表示を再度点灯させる。
【００２３】
次に、図１に示した構成のエレベータの動作について説明する。  
図２は、本発明の第１の実施形態にしたがったエレベータの群管理制御装置による処理動作の一例を示すフローチャートである。  
省電力運転判断部７は、需要情報をもとに、過去１０分間に登録された乗り場呼びに対する平均未応答時間が５秒以下であるか否かを判別する（ステップＳ１）。
【００２４】
省電力運転判断部７は、ステップＳ１の処理の結果「ＹＥＳ」と判別した場合、過去１０分間は乗り場呼びの登録に対する応答時間が短い、つまり需要が少なかったとして、省電力運転モード指令を休止号機判断部８および乗り場インジケータ制御部９に出力する。
【００２５】
乗り場インジケータ制御部９は、省電力運転判断部７からの省電力運転モード指令を入力した場合には、各階床の乗り場インジケータ１０ａ，１０ｂ，１０ｃの階床表示を消灯させる（ステップＳ２）。
【００２６】
次に、休止号機判断部８は、各号機のうち単一の号機を選択し、単体制御装置５ａ，５ｂ，５ｃのうち、当該選択した号機が戸閉待機中の号機であるか否かを判別する（ステップＳ３）。
【００２７】
休止号機判断部８は、当該選択した号機に対応する装置から戸閉待機信号を入力している場合には、当該号機が戸閉待機中の号機であると判別し（ステップＳ３のＹＥＳ）、当該戸閉待機中の号機を休止号機に設定する（ステップＳ４）。
【００２８】
休止号機判断部８は、前述したように選択した号機に対応する装置から戸閉待機信号を入力していない場合には、当該号機が戸閉待機中の号機でないと判別する（ステップＳ３のＮＯ）。
【００２９】
休止号機判断部８は、ステップＳ４の処理を行なった場合やステップＳ３の処理で「ＮＯ」と判別した場合で、各号機のうち戸閉待機中であるか否かの判別のための選択を行なっていない号機がある場合には（ステップＳ５のＮＯ）、当該選択を行なっていない号機の一つを選択して（ステップＳ５→Ｓ６）、ステップＳ３の処理に戻る。
【００３０】
一方、休止号機判断部８は、各号機の全てについて戸閉待機中であるか否かの判別のための選択を行なっている場合には（ステップＳ５のＹＥＳ）、各号機のうち、休止号機に設定した号機を示す信号を乗り場呼び割当制御部４に出力する（ステップＳ７）。
【００３１】
乗り場呼び割当制御部４は、休止号機判断部８からの信号を入力した場合、この信号で示される休止号機が新たな乗り場呼びに対する割当号機としてなるべく選択されないような割当制御を行なう。
【００３２】
図３は、本発明の第１の実施形態にしたがったエレベータの乗りかごの応答状態の一例を示す図である。  
図３に示したように、Ａ号機の乗りかご６ａが９階での下方向の乗り場呼び、および８階での下方向の乗り場呼びに応答して１０階から下降しており、Ｂ号機の乗りかご６ｂが２階へのかご呼びに応答して８階から下降しており、Ｃ号機の乗りかご６ｃが２階で戸閉待機中の状態にある場合に、１階での上方向の乗り場呼びが登録された場合の応答について説明する。
【００３３】
このような場合、運転モードが省電力運転モードでない場合には、１階での上方向の乗り場呼びには２階で戸閉待機していたＣ号機の乗りかご６ｃが応答する。一方、運転モードが省電力運転モードである場合には戸閉待機中のＣ号機の乗りかご６ｃは応答せず、８階から下降中のＢ号機の乗りかご６ｂが割り当てられて応答することになる。
【００３４】
このように、乗り場呼び元の１階の近くで戸閉待機中のＣ号機の乗りかご６ｃを１階での上方向の乗り場呼びに応答させなかった場合に、従来のように、Ｃ号機に対応する１階の乗り場インジケータ１０ｃの階床表示を有効としたままとしていると、１階で待機している乗客に対し「Ｃ号機がすぐ近くで待機しているのに応答しない」という不快感を与えてしまう。
【００３５】
これに対し、本発明の第１の実施形態にしたがったエレベータでは、乗り場インジケータ制御部９が、省電力運転モード時に各階床の乗り場インジケータ１０ａ，１０ｂ，１０ｃの階床表示を消灯させるようにしたので、乗客は前述したＣ号機の乗りかご６ｃが１階の近くの階床で戸閉待機していることは分からない。よって、乗客に対して、Ｃ号機の乗りかご６ｃが近くで待機しているのに乗り場呼びに応答しないといった不快感を与えることがなくなる。
【００３６】
また、乗り場インジケータ１０ａ，１０ｂ，１０ｃの階床表示を消灯させることにより、現在の運転モードが通常運転モードでない、つまり省電力運転モードである事を各階床の乗客に知らせる事が出来る。また、乗り場インジケータ１０の表示を消灯させる事自体による省電力効果を得ることも出来る。
【００３７】
（第２の実施形態）
次に、本発明の第２の実施形態について説明する。なお、本実施形態に係るエレベータの構成のうち図１に示したものと同一部分の説明は省略する。  
図４は、本発明の第２の実施形態にしたがったエレベータの構成例を示すブロック図である。  
図４に示すように、本発明の第２の実施形態にしたがったエレベータは、第１の実施形態と比較して、省電力運転判断部７は、休止号機判断部８のみに省電力運転モード指令を出力する。
【００３８】
また、休止号機判断部８は、休止号機に設定した号機を示す信号を乗り場呼び割当制御部４だけでなく、乗り場インジケータ制御部９にも出力する。  
また、乗り場インジケータ制御部９は、各階床の乗り場インジケータ１０ａ，１０ｂ，１０ｃのうち、休止号機判断部８からの信号で示される休止号機のみの各階床の乗り場インジケータ１０の階床表示を消灯させる。
【００３９】
次に、図４に示した構成のエレベータの動作について説明する。  
図５は、本発明の第２の実施形態にしたがったエレベータの群管理制御装置による処理動作の一例を示すフローチャートである。  
省電力運転判断部７は、第１の実施形態で説明したステップＳ１の処理の結果「ＹＥＳ」と判別した場合は、過去１０分間は乗り場呼びに対する応答時間が短い、つまり需要が少なかったとして、省電力運転モード指令を休止号機判断部８に出力する（ステップＳ１１）。
【００４０】
次に、休止号機判断部８は、各号機のうち単一の号機を選択し、単体制御装置５ａ，５ｂ，５ｃのうち、当該選択した号機に対応する装置から戸閉待機信号を入力している場合には、当該号機が戸閉待機中の号機であると判別し（ステップＳ１２のＹＥＳ）、当該戸閉待機中の号機を休止号機に設定し、この休止号機を示す信号を乗り場呼び割当制御部４および乗り場インジケータ制御部９に出力する。
【００４１】
また、休止号機判断部８は、前述したように選択した号機に対応する装置から戸閉待機信号を入力していない場合には、当該号機が戸閉待機中の号機でないと判別する（ステップＳ１２のＮＯ）。
【００４２】
乗り場インジケータ制御部９は、省電力運転判断部７からの休止号機を示す信号を入力した場合には、各階床の乗り場インジケータ１０ａ，１０ｂ，１０ｃのうち、休止号機判断部８からの信号で示される休止号機のみの各階床の乗り場インジケータ１０の階床表示を消灯させる（ステップＳ１３）。
【００４３】
ステップＳ１３の処理後、もしくは休止号機判断部８がステップＳ１２の処理で「ＮＯ」と判別した場合には、第１の実施形態で説明したステップＳ５の処理がなされる。以後の処理は第１の実施形態と同じである。
【００４４】
以上説明したように、本発明の第２の実施形態にしたがったエレベータでは、乗り場インジケータ制御部９が省電力運転モード時に戸閉待機中の号機のみの乗り場インジケータ１０の階床表示を消灯させるようにしたので、第１の実施形態と同様、乗客に対して、乗りかごが近くで待機しているのに乗り場呼びに応答しないといった不快感を与えることがなくなる。さらに、第１の実施形態と異なり、省電力運転モード時であっても戸閉待機中でない号機の乗り場インジケータ１０の階床表示を維持するようにしたので、乗客に対し、「乗りかごが、後どの位で応答するか分からない」といった不安感を与えることがなくなる。
【００４５】
（第３の実施形態）
次に、本発明の第３の実施形態について説明する。なお、本実施形態に係るエレベータの構成は図１に示したものと基本的にほぼ同様であるので詳細な説明は省略する。  
本発明の第３の実施形態に従ったエレベータでは、第１の実施形態と異なり、乗り場インジケータ１０ａ，１０ｂ，１０ｃは、省電力運転モード時に、かご位置の表示に代えて、運転モードが省電力運転モードである旨の表示を行なう。省電力運転モードである旨の表示例は例えば「省電力運転中」である。
【００４６】
つまり、乗り場インジケータ制御部９は、省電力運転モード時に各号機の乗り場インジケータ１０ａ，１０ｂ，１０ｃの階床表示を消した上で、これら乗り場インジケータ１０ａ，１０ｂ，１０ｃに運転モードが当該省電力運転モードである旨を表示させる。
【００４７】
このような構成とすれば、第１の実施形態と比較して乗り場インジケータ１０の表示を消灯させることによる省電力効果は無くなるが、乗客に対して省電力運転中である事をより明確に報知できる効果が発生する。
【００４８】
（第４の実施形態）
次に、本発明の第４の実施形態について説明する。なお、本実施形態に係るエレベータの構成は図４に示したものと基本的にほぼ同様であるので詳細な説明は省略する。  
本発明の第４の実施形態に従ったエレベータでは、第２の実施形態と異なり、乗り場インジケータ１０ａ，１０ｂ，１０ｃは、かご位置の表示に代えて、運転モードが省電力運転モードである旨の表示を行なう。
【００４９】
つまり、乗り場インジケータ制御部９は、省電力運転モード時に休止号機のみの乗り場インジケータ１０の階床表示を消した上で、これら乗り場インジケータ１０に運転モードが当該省電力運転モードである旨を表示させる。
【００５０】
このような構成とすれば、第１の実施形態と比較して乗り場インジケータ１０の表示を消灯させることによる省電力効果は無くなるが、乗客に対して省電力運転中である事をより明確に報知できる効果が発生する。
【００５１】
（第５の実施形態）
次に、本発明の第５の実施形態について説明する。なお、本実施形態に係るエレベータの構成のうち図４に示したものと基本的にほぼ同様であるので詳細な説明は省略する。  
本発明の第５の実施形態にしたがったエレベータでは、第２の実施形態と異なり、運転モードが省電力運転モードから元の通常運転モードに切り替わる際に、休止号機の乗り場インジケータ１０を再度点灯させるタイミングを乗り場の乗客に不快感を与える事が無い様に変更する。
【００５２】
この実施形態では、休止号機判断部８は、前述したように設定した単一または複数の休止号機のかご位置の情報を休止号機に対応する単体制御装置５から取得して内部メモリに保持している。
【００５３】
図６は、本発明の第５の実施形態にしたがったエレベータの群管理制御装置による処理動作の一例を示すフローチャートである。  
まず、省電力運転判断部７は、省電力運転モード指令の出力後、需要情報が当該省電力運転モード指令の出力のための条件を満たさなくなった場合、つまり過去１０分間に登録された乗り場呼びに対する平均未応答時間が５秒を超えた場合には、過去１０分間は乗り場呼びの登録に対する応答時間が長い、つまり乗り場呼びが増えて運転需要が多くなったとみなし（ステップＳ２１のＹＥＳ）、運転モードを省電力運転モードから通常運転モードに切り替えることを前提として、登録済みの乗り場呼び情報を乗り場呼び割当制御部４から取得する。
【００５４】
省電力運転判断部７は、乗り場呼び割当制御部４からの登録済みの乗り場呼び情報を入力すると、休止号機判断部８が保持している休止号機の情報を取得し、この情報で示される休止号機のうち単一の号機を選択して、当該号機のかご位置を休止号機判断部８から取得する。
【００５５】
省電力運転判断部７は、登録済みの乗り場呼びの階床と選択済みの休止号機のかご位置とを比較し、選択済みの休止号機のかご位置が登録済みの乗り場呼びの階床に近い、ここでは休止号機のかご位置から２階床以内に登録済みの乗り場呼びの階床が含まれるか否かを判別する（ステップＳ２２）。
【００５６】
省電力運転判断部７は、ステップＳ２２の処理で「ＹＥＳ」と判別した場合には、需要情報が当該省電力運転モード指令の出力のための条件を満たさなくなったと判別したタイミングからの経過時間が予め定められた時間、例えば３０秒に達したか否かを判別する（ステップＳ２３）。
【００５７】
省電力運転判断部７は、ステップＳ２３の処理で「ＹＥＳ」と判別した場合やステップＳ２２の処理で「ＮＯ」と判別した場合には、運転モードを通常運転モードに切り替えるための通常運転モード指令を休止号機判断部８に出力する。
【００５８】
休止号機判断部８は、通常運転モード指令を入力した場合に、前述したように選択した休止号機の設定を解除して、当該号機のかご位置の情報を初期化するとともに、当該通常運転モード指令を乗り場呼び割当制御部４および乗り場インジケータ制御部９に出力するし、設定を解除した休止号機の情報を省電力運転判断部７に出力する。
【００５９】
乗り場呼び割当制御部４は、休止号機判断部８からの通常運転モード指令を受けると、新たな乗り場呼びに対する通常の割当制御に移行する。また、乗り場インジケータ制御部９は、休止号機判断部８からの通常運転モード指令を入力すると、消灯させていた乗り場インジケータ１０を再点灯させて階床表示を復帰させる（ステップＳ２４）。
【００６０】
乗り場インジケータ１０の再点灯後、もしくは省電力運転判断部７がステップＳ２３の処理で「ＮＯ」と判別した場合には、省電力運転判断部７は、休止号機の全ての設定を休止号機判断部８が解除済みであるか否かを判別する（ステップＳ２５）。
【００６１】
省電力運転判断部７は、ステップＳ２５の処理で「ＮＯ」と判別した場合には、休止号機判断部８が保持している休止号機設定情報で示される休止号機のうち単一の号機を選択して（ステップＳ２６）当該号機のかご位置をさらに取得し、ステップＳ２２以降の処理を再度行なう。  
また、省電力運転判断部７は、ステップＳ２５の処理で「ＹＥＳ」と判別した場合には、処理を終了する。
【００６２】
以上説明したように、本発明の第５の実施形態にしたがったエレベータでは、省電力運転を解除する場合に、休止号機のかご位置の近くの階床の乗り場呼びが登録されていれば、その呼びがなくなるか一定時間経過するまで、当該休止号機の乗り場インジケータ１０の再点灯のタイミングを遅らせるので、乗り場呼びがなされた階床で待機している乗客に対し「乗りかごが近くに待機していたのに応答しなかった」という不快感を与えることを防止できる。
【００６３】
本発明の第５の実施形態は、前述した第２の実施形態で説明した、省電力運転時に休止号機のみの乗り場インジケータ１０を消灯させていた場合の処理について説明したが、これに限らず、前述した第１の実施形態で説明したように省電力運転時に全号機の乗り場インジケータ１０を消灯させていた場合において、省電力運転を解除する場合に、休止号機のかご位置の近くの階床の乗り場呼びが登録されていれば、その呼びがなくなるか一定時間経過するまで、全号機の乗り場インジケータ１０の点灯のタイミングを遅らせるようにしても同様の効果を得ることが可能である。
【００６４】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６５】
【図１】本発明の第１の実施形態にしたがったエレベータの構成例を示すブロック図。
【図２】本発明の第１の実施形態にしたがったエレベータの群管理制御装置による処理動作の一例を示すフローチャート。
【図３】本発明の第１の実施形態にしたがったエレベータの乗りかごの応答状態の一例を示す図。
【図４】本発明の第２の実施形態にしたがったエレベータの構成例を示すブロック図。
【図５】本発明の第２の実施形態にしたがったエレベータの群管理制御装置による処理動作の一例を示すフローチャート。
【図６】本発明の第５の実施形態にしたがったエレベータの群管理制御装置による処理動作の一例を示すフローチャート。
【符号の説明】
【００６６】
１…乗り場呼び釦、２…群管理制御装置、３…乗り場呼び入力部、４…乗り場呼び割当制御部、５ａ，５ｂ，５ｃ…単体制御装置、６ａ，６ｂ，６ｃ…乗りかご、７…省電力運転判断部、８…休止号機判断部、９…乗り場インジケータ制御部、１０ａ，１０ｂ，１０ｃ…乗り場インジケータ。
【図１】
2009091099.tif 000003
【図２】
2009091099.tif 000004
【図３】
2009091099.tif 000005
【図４】
2009091099.tif 000006
【図５】
2009091099.tif 000007
【図６】
2009091099.tif 000008